(57)【要約】【課題】開口部の耐震補強において開口部を広く残すことができる。【解決手段】既存の鉄筋コンクリート建物の耐震補強を行うために、既存の鉄筋コンクリート建物のコンクリート躯体１０の開口部１０ａに鋼板２で形成された枠鋼板（枠材）３を設置し、枠鋼板３内にブレース４を設置する。枠鋼板３は、既存の鉄筋コンクリート建物の梁や柱などに囲まれた開口部１０ａの四方に沿って設置されており、所定の強度を有する帯状の鋼板２から形成されている。鋼板２は、あと施工アンカー５の締結部５ａが貫通する複数のボルト孔２ａが形成されていて、コンクリート躯体１０に締結部５ａを突出させた状態で埋設された複数のあと施工アンカー５によってコンクリート躯体１０に固定されている。【選択図】図１
2010242392.tif 000002
【特許請求の範囲】
【請求項１】
鉄筋コンクリート建物などのコンクリート躯体の開口部に枠材およびブレースを設置する耐震補強構造において、
前記枠材は、鋼板で形成されていて、コンクリート躯体に定着部または締結部を突出させて埋設されたアンカー部材によってコンクリート躯体に固定されることを特徴とする耐震補強構造。
【請求項２】
前記アンカー部材の定着部は側面に凸部を備えて、前記枠材は前記定着部が挿入される貫通孔を備えており、前記貫通孔は前記定着部との間にクリアランスが形成される程度に大きく形成されると共に、前記枠材の外側から内側に向かって内径が大きくなる形状に形成されて、前記定着部が挿入された前記貫通孔と前記定着部との間には充填材が充填されることを特徴とする請求項１に記載の耐震補強構造。
【請求項３】
前記枠材と前記コンクリート躯体との間には接着剤が充填されることを特徴とする請求項１または２に記載の耐震補強構造。
【請求項４】
前記枠材は前記アンカー部材の締結部が挿入される貫通孔を備えており、前記貫通孔は前記締結部との間にクリアランスが形成される程度に大きく形成されていて、前記締結部が挿入された前記貫通孔の前記枠材の内側面には前記締結部が貫通すると共に前記貫通孔を覆うカバー用鋼板が配設されることを特徴とする請求項１に記載の耐震補強構造。
【発明の詳細な説明】
【技術分野】
【０００１】
本発明は、鉄筋コンクリートなどの建物の耐震補強構造に関する。
【背景技術】
【０００２】
従来、建物の耐震性を高めるために、耐震補強が行われている。
例えば、既存の鉄筋コンクリート建物の柱および梁に沿って、Ｈ形鋼で形成された枠材を接合し、枠材内にブレースを設置する耐震補強が行われている。Ｈ形鋼と開口部のコンクリート躯体とは、あと施工アンカーやスパイラル鉄筋などの割裂補強筋を用いて接合している。そして、枠材は既存コンクリートと一体化し、地震などにより建物に作用した力が枠材を介してブレースに伝わるので、耐震性を高めることができる。
また、特許文献１および２では、既存のコンクリート躯体の開口部に山型鋼や溝形鋼などの形鋼で形成された枠材を接合し、枠材内にブレースを設置する耐震補強構造が提案されている。この耐震補強構造では、枠材をコンクリート躯体にあと施工アンカーで固定し、枠体とコンクリート躯体との間に接着剤を充填して枠材とコンクリート躯体を一体化させている。
【先行技術文献】
【特許文献】
【０００３】
【特許文献１】特開２００６−１０４７２６号公報
【特許文献２】特開２００４−１２４５２２号公報
【発明の概要】
【発明が解決しようとする課題】
【０００４】
しかしながら、従来の建物の開口部の耐震補強構造では以下のような問題があった。
枠材はＨ形鋼や山型鋼、溝形鋼などの形鋼で形成されていることにより、地震などで力が作用した場合にも枠材は容易に座屈せず、この力をブレースへ伝達することができるが、開口部から形鋼が突出するので開口部が狭くなり、採光面積が小さくなるという問題があった。
【０００５】
本発明は、上述する問題点に鑑みてなされたもので、枠材の座屈を防ぐことができると共に、開口部の面積を広く残すことができる耐震補強構造を提供することを目的とする。
【課題を解決するための手段】
【０００６】
上記目的を達成するため、本発明に係る耐震補強構造は、鉄筋コンクリート建物などのコンクリート躯体の開口部に枠材およびブレースを設置する耐震補強構造において、枠材は、鋼板で形成されていて、コンクリート躯体に定着部または締結部を突出させて埋設されたアンカー部材によってコンクリート躯体に固定されることを特徴とする。
【０００７】
本発明では、コンクリート躯体の開口部に鋼板で形成された枠材を設置することにより、従来のＨ形鋼などの形鋼で形成された枠材に比べて、開口部からの突出を小さくすることができるので、開口部の面積を広くとることができる。
また、枠材はアンカー部材によってコンクリート躯体に固定されていることにより、鋼板で形成された枠材の座屈を防ぐことができるので、地震などにより建物に作用する力は枠材を介してブレースに伝達されて、建物の耐震性を高めることができる。
【０００８】
また、本発明に係る耐震補強構造では、アンカー部材の定着部は側面に凸部を備えて、枠材は定着部が挿入される貫通孔を備えており、貫通孔は定着部との間にクリアランスが形成される程度に大きく形成されると共に、枠材の外側から内側に向かって内径が大きくなる形状に形成されて、定着部が挿入された貫通孔と定着部との間には充填材が充填される構成としてもよい。
【０００９】
本発明では、枠材の貫通孔は定着部との間にクリアランスが形成される程度に大きく形成されることにより、コンクリート躯体に設置されたアンカー部材と貫通孔との位置に多少のずれが生じたとしても、定着部を貫通孔へ挿入できるので、容易に枠材をコンクリート躯体へ接合することができる。
また、定着部は側面に凸部を備えていて、貫通孔は枠材の外側から内側に向かって内径が大きくなる形状であることにより、枠材がコンクリート躯体から開口部の内側に引っ張られる方向の外力を受けた場合に、凸部とコンクリート躯体の間に圧縮ストラットが形成されるので、この外力に効率的に対抗することができて、枠材の座屈を防ぐことができる。
【００１０】
また、本発明に係る耐震補強構造では、枠材と前記コンクリート躯体との間には接着剤が充填されていてもよい。
本発明では、枠材とコンクリート躯体との間には接着剤が充填されることにより、枠材とコンクリート躯体とを密着させて一体化させることができるので、開口部に作用する力を効率的に枠材に伝達することができる。
【００１１】
また、本発明に係る耐震補強構造では、枠材はアンカー部材の締結部が挿入される貫通孔を備えており、貫通孔は締結部との間にクリアランスが形成される程度に大きく形成されていて、締結部が挿入された貫通孔の枠材の内側面には締結部が貫通すると共に貫通孔を覆うカバー用鋼板が配設されることが好ましい。
【００１２】
本発明では、枠材の貫通孔は締結部との間にクリアランスが形成される程度に大きく形成されることにより、枠材とコンクリート躯体とが設置面に平行な方向に相対変位しても、クリアランスの範囲内であれば貫通孔の内周面と締結部の外周面とが接触しないので、アンカー部材には、枠材とコンクリート躯体との相対変位によるせん断力が作用しない構造とすることができる。そして、アンカー部材に作用するせん断力を小さくできるので、アンカー部材の径を小さくしたり、設置するアンカー部材の本数を少なくしたりできる。
【００１３】
また、枠材の内側にはカバー用鋼板が設けられて、枠材はカバー用鋼板とコンクリート躯体に挟まれた状態で固定されているので、枠材がコンクリート躯体から離れて座屈することを防ぐことができる。
また、コンクリート躯体に設置されたアンカー部材と貫通孔との位置に多少のずれが生じたとしても、定着部を貫通孔へ挿入できるので、容易に枠材をコンクリート躯体へ設置することができる。
【発明の効果】
【００１４】
本発明によれば、枠材は鋼板で形成されて、アンカー部材によって固定されていることにより、枠材の座屈が防止され、地震などによって作用する力をブレースに伝達できるので、開口部の面積を広く残せると共に、地震などにより建物の開口部が変形することを防ぐことができる。
【図面の簡単な説明】
【００１５】
【図１】本発明の第一の実施の形態による耐震補強構造の一例を示す図である。
【図２】本発明の第二の実施の形態による耐震補強構造の一例を示す図である。
【図３】本発明の第三の実施の形態による耐震補強構造の一例を示す図である。
【図４】図３に示す耐震補強構造の部分拡大断面図である。
【図５】図３に示すあと施工アンカーがずれて施工された状態を示す断面図である。
【図６】本発明の第四の実施の形態による耐震補強構造の一例を示す図である。
【図７】図６に示す耐震補強構造の部分拡大側面図である。
【図８】図７に示す耐震補強構造の平面図である。
【図９】図７に示す耐震補強構造の枠鋼板の貫通孔の大きさと、カバー用鋼板の厚さとの関係を説明する図である。
【発明を実施するための形態】
【００１６】
以下、本発明の実施の形態による耐震補強構造について、図１に基づいて説明する。
図１に示すように、本実施の形態による耐震補強構造１ａは、既存の鉄筋コンクリート建物の耐震補強を行うために、既存の鉄筋コンクリート建物の梁や柱などのコンクリート躯体１０に囲まれた開口部１０ａに鋼板２で形成された枠鋼板（枠材）３を設置し、枠鋼板３内にブレース４を設置する構造である。
【００１７】
枠鋼板３は、開口部１０ａの四方に沿って設置された所定の強度を有する帯状の鋼板２から形成されている。鋼板２には、あと施工アンカー５の締結部５ａが貫通する複数のボルト孔２ａが形成されていて、複数のあと施工アンカー５によってコンクリート躯体１０に固定されている。
【００１８】
枠鋼板３を形成する上側の鋼板２の中央部と、下側の鋼板２の両端部には、ブレース４の端部を固定する図示しないブラケットなどが設置されており、本実施の形態では、枠鋼板３内に２本のブレース４が山型に設置されている。
なお、ブレース４の設置形状は、開口部１０ａの形状や要求される耐震強度などによって、Ｖ字型やＸ型などの他の設置形状としてもよく、ブレース４の本数も２本に限らず適宜設定するものとする。
【００１９】
あと施工アンカー５は、コンクリート躯体１０に形成された孔部に埋設されるアンカー部５ｂと、アンカー部５ｂに連続して、アンカー部５ｂが埋設された際にコンクリート躯体１０から突出する締結部５ａとから構成される。
アンカー部５ｂは、例えば、孔部に挿入され打ち込まれて、アンカー部５ｂの側面に形成された図示しない凹凸が孔部内周のコンクリートに付着することでコンクリート躯体１０に固定される公知の構成をしている。
【００２０】
締結部５ａには、ねじ山が形成されていて座金１２を設置してナット１１が締結される構造である。
あと施工アンカー５は、枠鋼板３が座屈することがないように、所定の間隔をあけてコンクリート躯体１０に複数設置されている。
【００２１】
次に、開口部１０ａへ耐震補強構造１ａによる耐震補強を行う方法について図面を用いて説明する。
まず、コンクリート躯体１０にあと施工アンカー５を設置する位置を決定し、コンクリート躯体１０を穿孔してあと施工アンカー５用の孔部を形成し、その孔部にあと施工アンカー５のアンカー部５ｂを埋設して、打ち込みなどによりアンカー部５ｂをコンクリート躯体１０に固定する。
次に、コンクリート躯体１０に設置されたあと施工アンカー５の位置を確認し、この位置に合わせて鋼板２にボルト孔２ａを形成する。そして、開口部１０ａの四方に合わせて鋼板２を配設して接合すると共に、あと施工アンカー５の締結部５ａを鋼板２のボルト孔２ａに挿入し、締結部５ａに座金１２を設置してナット１１を締結することで、開口部１０ａに枠鋼板３が設置される。
そして、枠鋼板３内にブラケットを設置し、ブレース４を配設して耐震補強構造１ａが完成する。
【００２２】
上述した第一の実施の形態による耐震補強構造１ａでは、地震などにより建物に水平力が作用すると、まず建物から枠鋼板３に水平力が伝わり、この水平力が枠鋼板３からブレース４に伝達される。そして、この力をブレース４が負担することで建物の耐震性を向上させることができる構成である。
このとき、枠鋼板３は、あと施工アンカー５によってコンクリート躯体１０に固定されているので、地震などにより枠鋼板３に圧縮力が作用しても、枠鋼板３が座屈することを防止することができる。
また、Ｈ形鋼や山型鋼などの形鋼で形成された枠材を開口部１０ａに沿って設置する従来の耐震補強構造と比べて、枠鋼板３は開口部１０ａからの突出が少ないので、開口部１０ａを広く残すことができる。
【００２３】
上述した第一の実施の形態による耐震補強構造１ａでは、鋼板２で形成された枠鋼板３をあと施工アンカー５によって開口部１０ａに固定することにより、枠鋼板３の座屈が防止されて、地震などにより建物に作用する力を枠鋼板３がブレース４に伝達し、この力をブレース４が負担するので、建物の耐震性を向上させることができると共に、開口部１０ａの面積を広く残すことができる効果を奏する。
【００２４】
次に、他の実施の形態について、添付図面に基づいて説明するが、上述の第一の実施の形態と同一又は同様な部材、部分には同一の符号を用いて説明を省略し、第一の実施の形態と異なる構成について説明する。
【００２５】
図２に示す第二の実施の形態による耐震補強構造１ｂでは、枠鋼板３とコンクリート躯体１０との間に接着剤２１を充填している。
接着剤２１は、枠鋼板３とコンクリート躯体１０とを密着させ、コンクリート躯体１０に作用する力を枠鋼板３へより伝達させるためのもので、例えば、無収縮モルタルや、エポキシ樹脂やアクリル系の樹脂を使用する。
このとき、接着剤２１の付着を良くするために、コンクリート躯体１０の表面に凹凸をつけたり、グラインダーで表面を削ったりしてもよい。また、枠鋼板３も接着剤２１の付着を良くするために、黒皮のままとしてもよく、表面を削ってもよい。また、枠鋼板３にシアキーなどを設けて接着剤２１の付着を良くしてもよい。
また、鋼板２を開口部１０ａに設置する際には、鋼板２と開口部１０ａとの間には接着剤２１のスペースを設ける。
上述した第二の実施の形態による耐震補強構造１ｂでは、鋼板２で形成された枠鋼板３を、あと施工アンカー５および接着剤２１によってコンクリート躯体１０に固定しているので、第一の実施の形態による耐震補強構造１ａと同様の効果を奏する。
【００２６】
図３および図４に示す第三の実施の形態による耐震補強構造１ｃでは、図１に示す第一の実施の形態による耐震補強構造１ａにおける、締結部５ａにナット１１を締結するあと施工アンカー５に代えて、グラウト材２６に定着する定着部２７ａを備えるあと施工アンカー２７を備えている。
【００２７】
あと施工アンカー２７は、コンクリート躯体１０に形成された孔部に埋設されるアンカー部２７ｂと、アンカー部２７ｂと連続し、アンカー部２７ｂが埋設された際にコンクリート躯体１０から突出する定着部２７ａとから構成される。
定着部２７ａは、アンカー部２７ｂとつながる軸部２７ｃと、軸部２７ｃの先端に接合された頭部２７ｄとを備えている。頭部２７ｄの断面形状は軸部２７ｃの断面形状よりも大きく、例えば円形や略円形、または四角形や六角形などの多角形の形状となっている。なお、軸部２７ｃと頭部２７ｄとは一体に形成されていてもよく、また個々に形成されて溶接などで接合されていてもよい。また、頭部２７ｄに代わって、定着部２７ａの側面にリブを形成してもよい。
アンカー部２７ｂは、第一の実施の形態によるあと施工アンカー５のアンカー部５ｂと同様の形状とする。
【００２８】
鋼板２には、第一の実施の形態によるボルト孔２ａに代わって、あと施工アンカー２７の頭部２７ｄよりも例えば、１０〜３０ｍｍほど大きい内径の貫通孔２８が形成されている。また、貫通孔２８は、鋼板２が枠鋼板３を形成した際の枠鋼板３の外側から内側に向かって徐々に広くなるテーパー形状をしている。
グラウト材２６は、後述する圧縮ストラットの圧縮力を枠鋼板３へ伝達するのに十分な強度を有する材料で、例えば、無収縮グラウトやコンクリート、ポリマーセメントモルタル、エポキシ樹脂などを使用する。
【００２９】
鋼板２とコンクリート躯体１０との接合は、コンクリート躯体１０に設置されたあと施工アンカー２７の定着部２７ａを鋼板２の貫通孔２８へ挿通させて、定着部２７ａと貫通孔２８との間にグラウト材２６を充填して行う。
このとき、貫通孔２８の内周面があと施工アンカー２７の定着部２７ａの外周面に比べて大きく形成されて、定着部２７ａと貫通孔２８との間にはクリアランスが設けられた状態となるので、図５に示すように、コンクリート躯体１０に対してあと施工アンカー２７の設置位置がずれたとしても、鋼板２を設置することができる。
【００３０】
上述した第三の実施の形態による耐震補強構造１ｃでは、枠鋼板３とコンクリート躯体１０とが、あと施工アンカー２７で固定されているので、第一の実施の形態と同様の効果を奏する。
また、コンクリート躯体１０に対してあと施工アンカー２７の設置位置がずれたとしても、鋼板２を設置することができるので、貫通孔２８を工場などで予め鋼板２に形成することができる。そして、労力を軽減させることができると共に、工期を短縮することができて、施工性を向上することができる。
【００３１】
また、貫通孔２８がテーパー形状に形成されて、定着部２７ａに頭部２７ｄが設けられていることにより、頭部２７ｄとコンクリート躯体１０との間に圧縮ストラットが形成されるので、頭部２７ｄがグラウト材２６を介して貫通孔２８の内周面から枠鋼板３をコンクリート躯体１０側に押圧することができる。そして、枠鋼板３がコンクリート躯体１０から離れる方向の外力に対して効率的に対抗することができるので、枠鋼板３の座屈を防止することができる。
また、定着部２７ａをあと施工アンカー２７の先端部に設けることによって、枠鋼板３の表面からあと施工アンカー２７が突出しない仕上がりとすることができるので、見栄えをよくすることができる。
【００３２】
図６乃至９に示す第四の実施の形態による耐震補強構造１ｄでは、第一の実施の形態による耐震補強構造１ａにおけるボルト孔２ａに代わって、あと施工アンカー５の締結部５ａの径よりも大きい貫通孔３１を鋼板２に設けると共に、枠鋼板３の内側にあと施工アンカー５の締結部５ａが挿通するボルト孔３２ａを備えて、貫通孔３１を覆うカバー用鋼板３２を設置する構成である。
【００３３】
カバー用鋼板３２は、鋼板２の貫通孔３１を覆うことができる大きさで所定の厚さの鋼板である。
カバー用鋼板３２は、あと施工アンカー５の締結部５ａが挿通するボルト孔３２ａを備え、ボルト孔３２ａの内径は、あと施工アンカー５の締結部５ａの径に応じて規定された寸法とする。
【００３４】
ここで、鋼板２の貫通孔３１の大きさと、カバー用鋼板３２の厚さとの関係について説明する。
図９に示すように、ナット１１の中心から外周の角１１ａまでの長さＬａと、カバー用鋼板３２の厚さｔとの和を寸法Ｌ１とし、鋼板２の貫通孔３１の直径Φａと、カバー用鋼板３２のボルト孔３２ａの半径Ｌｂとの差を長さＬ２とする。そして、長さＬ１が長さＬ２よりも大きくなるように、カバー用鋼板３２の厚さｔと鋼板２の貫通孔３１の直径Φａを決定する。
このように鋼板２の貫通孔３１の大きさとカバー用鋼板３２の厚さを設定することにより、鋼板２の貫通孔３１の中心軸と、カバー用鋼板３２のボルト孔３２ａの中心軸とがずれたとしても、ナット１１の外周から斜め方向に作用するナット１１の締結力がカバー用鋼板３２を介して枠鋼板３とコンクリート躯体１０に伝わるので、枠鋼板３がコンクリート躯体１０から離れて座屈することを防ぐことができる。
【００３５】
鋼板２のコンクリート躯体１０への設置は、まず、コンクリート躯体１０に設置されたあと施工アンカー５の締結部５ａを鋼板２の貫通孔３１に挿入し、鋼板２を開口部１０ａの四方に沿って配置する。そして、カバー用鋼板３２のボルト孔３２ａにあと施工アンカー５の締結部５ａを挿通し、締結部５ａに座金１２を設置してナット１１を締結する。
このようにして設置された鋼板２によって、枠鋼板３が形成される。そして、カバー用鋼板３２は、枠鋼板３の貫通孔３１を覆った状態となる。
このとき、枠鋼板３の貫通孔３１の内周面と、あと施工アンカー５の締結部５ａの外周面との間には、コンクリート躯体１０とカバー用鋼板３２とに挟まれた空間が形成される。この空間は、空間のままとするか、貫通孔３１の内周面と締結部５ａとをほとんど固定しない強度の低い充填材を充填する。
【００３６】
上述した第四の実施の形態による耐震補強構造１ｄでは、枠鋼板３がコンクリート躯体１０から離れる方向に引っ張られると、あと施工アンカー５には軸力（引張力）が作用し、あと施工アンカー５はこの軸力を負担する。そして、枠鋼板３のコンクリート躯体１０への設置面に平行な方向に枠鋼板３とコンクリート躯体１０とが相対変位しても、枠鋼板３の貫通孔３１はあと施工アンカー５の締結部５ａの径よりも大きくクリアランスがあるので、このクリアランスの範囲内であれば、貫通孔３１の内周面があと施工アンカー５の締結部５ａの外周面と接触しないので、あと施工アンカー５には、枠鋼板３とコンクリート躯体１０との相対変位によるせん断力は作用せず、枠鋼板３とコンクリート躯体１０との間に生じる摩擦と、枠鋼板３とカバー用鋼板３２との間に生じる摩擦によるせん断力が作用する構造とすることができる。
【００３７】
上述した第四の実施の形態による耐震補強構造１ｄでは、枠鋼板３がコンクリート躯体１０に固定されているので、第一の実施の形態と同様の効果を奏する。
また、あと施工アンカー５には軸力（引張力）が作用し、せん断力があまり作用しないことにより、あと施工アンカー５に軸力を負担させる場合には、あと施工アンカー５の径を小さくしたり、設置する本数を少なくしたりすることができるので、コストや労力を低減できると共に工期を短縮することができる効果を奏する。
また、あと施工アンカー５を設置する際の騒音や粉塵を低減することができる。
また、このとき、枠鋼板３の貫通孔３１は、あと施工アンカー５の締結部５ａの外周面に対して大きく形成されているので、コンクリート躯体１０へあと施工アンカー５を設置する際に、あと施工アンカー５の位置が多少ずれたとしても、枠鋼板３を設置することができる
【００３８】
以上、本発明による耐震補強構造の実施の形態について説明したが、本発明は上記の実施の形態に限定されるものではなく、その趣旨を逸脱しない範囲で適宜変更可能である。
上記の実施の形態では、既存建物のコンクリート躯体１０にあと施工アンカー５、２７を設置して枠鋼板３およびブレース４を配設しているが、新設のコンクリート躯体にコンクリートの打設と共に埋設されるアンカー部材に枠鋼板３およびブレース４を配設してもよい。
また、第三の実施の形態の枠鋼板３に形成された貫通孔２８は、枠鋼板３の外側から内側に向かって径が大きくなるテーパー形状となっているが、枠鋼板３の外側から内側に向かって径が大きくなる形状であれば、径の異なる円筒を組み合わせた形状でもよく、テーパーと円筒を組み合わせた形状としてもよい。
【符号の説明】
【００３９】
１ａ、１ｂ、１ｃ、１ｄ  耐震補強構造
２  鋼板
３  枠鋼板（枠材）
４  ブレース
５、２７  あと施工アンカー（アンカー部材）
５ａ  締結部
２１  接着剤
２７  定着部
２８、３１  貫通孔
３２  カバー用鋼板
【図１】
2010242392.tif 000003
【図２】
2010242392.tif 000004
【図３】
2010242392.tif 000005
【図４】
2010242392.tif 000006
【図５】
2010242392.tif 000007
【図６】
2010242392.tif 000008
【図７】
2010242392.tif 000009
【図８】
2010242392.tif 000010
【図９】
2010242392.tif 000011